(57)【要約】【課題】  非常に簡単な操作で行先指定が可能なナビゲーション装置を有するナビゲーションシステムを提供する。【解決手段】  現在位置から指定位置までの経路案内可能なナビゲーション装置を備えており、携帯電話のカメラ装置により地名が記載されたメモを撮影すると（Ｓ２）、ナビゲーション装置の表示装置に、地名と、その地名が位置する周辺の地図と、その地名が位置する地図上の位置を指し示すポインタを表示する処理がなされる（Ｓ８）。そして、表示装置に表示された地名を選択する操作がなされたら、その地図上の位置が、経路案内のための指定位置として指定される（Ｓ１０）。従って、このナビゲーションシステム１を用いれば、地名等が記載された書面等を撮影して、操作装置を操作するだけの簡単な操作で、その書面に記載されていた場所を指定位置に指定することができる。【選択図】  図３
2005345151.tif 000002
【特許請求の範囲】
【請求項１】
現在位置から指定位置までの経路案内が可能な経路案内手段と、
撮像手段と、
この撮像手段で撮影された画像から、場所を特定可能な場所特定表記を抽出する抽出手段と、
この抽出手段で抽出された、前記場所特定表記が示す場所の地図上の位置を特定する特定手段と、
この特定手段で特定した地図上の位置を表示する表示手段と、
操作者の操作により、前記特定手段で特定された地図上の位置を前記指定位置として指定可能な指定手段と
を備えることを特徴とするナビゲーションシステム。
旧請求項２を削除しました。
【請求項２】
請求項１に記載のナビゲーションシステムにおいて、
前記撮像手段は、持ち運び可能に構成されていることを特徴とするナビゲーションシステム。
【請求項３】
請求項２記載のナビゲーションシステムにおいて、
前記撮像手段は、カメラ付き携帯電話に付属したカメラ装置であることを特徴とするナビゲーションシステム。
【請求項４】
請求項１〜３のいずれかに記載のナビゲーションシステムにおいて、
前記経路案内手段、前記撮像手段、前記表示手段、及び、前記指定手段は車両に搭載され、
前記抽出手段及び前記特定手段は前記車両から離れた施設に設置され、
前記撮像手段と前記抽出手段との間、及び、前記特定手段と前記表示手段との間で無線通信可能に構成されていることを特徴とするナビゲーションシステム。
【請求項５】
請求項１〜４のいずれかに記載のナビゲーションシステムにおいて、
前記特定手段は、前記場所特定表記が住所である場合、特定可能な区域に応じて、地図上の位置と前記表示手段で表示する地図の縮尺を特定し、
前記表示手段は、前記特定手段で特定された縮尺で地図を表示して、前記特定手段で特定された地図上の位置を表示する
ことを特徴とするナビゲーションシステム。
【発明の詳細な説明】
【技術分野】
【０００１】
本発明は、現在位置から指定位置までの経路案内が可能なナビゲーションシステムに関する。
【背景技術】
【０００２】
ナビゲーション装置は、指定位置が指定されると、現在位置から指定位置までの経路を検索し、その検索された経路に従って現在位置から指定位置までを案内する装置である。このナビゲーション装置に対し指定位置を指定する方法としては、文字情報を入力して指定する方法が一般的で、ナビゲーション装置は、文字情報が入力されたら、この文字情報に対応する位置を検索して、その位置を指定位置として設定する処理を行っている。
【０００３】
文字情報としては、名所、ランドマーク、観光地等の目的地の名称や、住所等が利用され、これらの文字情報をナビゲーション装置に入力するには、ナビゲーション装置に取り付けられた操作装置を操作して手作業入力するか、ナビゲーション装置に取り付けられたマイクで音声入力する
具体的には、名所、ランドマーク、観光地の文字情報を入力する場合は、これらの読み仮名を先頭から順に音声または手作業入力する。住所の文字情報を入力する場合は、県→市町村名→町名→番地を順に確定しながら入力する。
【０００４】
また、近年のナビゲーション装置の中には、インターネット等にアクセス可能な通信装置を備えた物がある。このナビゲーション装置は、ホームページ中に表記された住所等の文字情報をポインタ等で反転させて選択する等の操作が行われたら、その選択された文字情報に対応する位置を検索して、その位置を指定位置として設定する処理を行っている（特許文献１）。
【特許文献１】特開２００１−１３３２８２号公報
【発明の開示】
【発明が解決しようとする課題】
【０００５】
しかし、住所や名称を手作業で入力する作業は煩雑であり、また、これらを読めない場合は音声入力することができないという問題があった。
また、ホームページ中の住所等の文字情報を指定して行き先を指定する場合も、その行き先の名称や住所の読み方がわからなかったり、名称を表す漢字が見つけられなかったりすると、行き先の住所や名称等が記載されたホームページそのものを検索する作業に時間がかかるという問題があった。
【０００６】
そこで本発明では、上述した問題点を解決するため、一般の旅行者がガイドブックや地図等を見て行き先を決定している点に着目し、非常に簡単な操作で行先指定が可能なナビゲーションシステムを提供することを目的とする。
【課題を解決するための手段】
【０００７】
上述した問題点を解決するためになされた請求項１に記載のナビゲーションシステムは、撮像手段を備えており、この撮像手段が撮影した画像（例えば地図を撮影したもの）から、場所（例えば名古屋駅）を特定可能な場所特定表記（例えば「名古屋駅」という文字表記）を抽出手段が抽出し、その場所特定表記が示す場所の地図上の位置（例えばマッピングデータや、緯度経度）を特定手段が特定し、この特定手段で特定された地図上の位置を表示手段が表示している。この表示手段による表示は、適当な縮尺で表示された地図の上にポインタを表示し、このポインタで特定された位置を指し示すなど、特定手段で特定された位置が特定できる表示であればどのようなものでもよい。
【０００８】
そして、このナビゲーションシステムでは、操作者が、表示手段の表示を見て、特定手段で特定された位置を確認し、その位置を経路案内手段での指定位置として指定する操作を指定手段に対して行うと、経路案内手段が、特定手段で特定された位置、すなわち、場所特定表記の場所を指定位置として指定しているので、以下、経路案内手段が、現在位置から指定位置までの経路を案内している。
【０００９】
従って、本発明のナビゲーションシステムを用いれば、地図やガイドブック、住所が記載されたメモ、手帳などの場所特定表記を含む書面等を撮影して、指定手段で指定するだけの簡単な操作で、撮影した画像中に含まれている場所特定表記の位置を経路案内手段での指定位置として指定することができる。
【００１０】
尚、場所特定表記としては、住所、有名観光地、ランドマークその他、場所を特定可能な表記であればどのようなものでもよい。また、住所等の文字表記だけでなく、郵便番号や電話番号等の数字表示など、場所を特定可能な表記であれば記号や符号等どのようなものでもよい。例えば特定の山を等高線で示したものでもよい。
【００１１】
また、特定手段は、地図上の位置を特定する際、地図上の位置を表示するのに適当な大きさの地図の縮尺を決定してもよい。表示手段は、場所特定表記の地図上の位置を表示する際、その位置の名称や住所を同時に文字表示してもよい。
【００１２】
ところで、このナビゲーションシステムは、全ての手段を車両に搭載することも考えられる。しかし、請求項２に示すように、撮像手段については持ち運び可能に構成することが好ましい。このように、撮像手段を他の手段から切り離して持ち運ぶことができれば、地図やガイドブックを自由な方向及び位置から撮影できるので、撮影に失敗して誤った場所特定表記を撮影してしまうことを防止できる。また、近年カメラ付き携帯電話が普及しているので、請求項３に示すように、撮像手段として、このカメラ付き携帯電話に付属したカメラ装置を利用してもよい。
【００１３】
請求項４に記載したように、経路案内手段、撮像手段、表示手段、及び、指定手段を車両に搭載し、抽出手段及び特定手段を車両から離れた施設に設置し、撮像手段と抽出手段との間、及び、特定手段と表示手段との間で無線通信可能に構成してもよい。このようにすれば、施設に大型のコンピュータ装置を設置し、このコンピュータ装置を利用して抽出手段と特定手段とを処理することで、処理に時間がかかりやすい抽出手段と特定手段とを高速で処理することができ、ひいては、ナビゲーションシステム全体の処理速度を上げることができる。尚、この請求項４で用いている「車両に搭載」には、撮像手段を「乗員が持ち運ぶ」場合を含む意で用いている。
【００１４】
請求項５に記載したように、場所特定表記が住所である場合、特定手段では、特定可能な区域（都道府県、市町村、番地）に応じて、地図上の位置と前記表示手段で表示する地図の縮尺を特定し、表示手段は、特定手段で特定された縮尺で地図を表示して、特定手段で特定された地図上の位置を表示するようにしてもよい。具体的には、県市町村等が特定されたらその地域を点滅表示してもよいし、県市町村単位の地図上に県庁舎、市庁舎などをポインタで表示してもよい。
【発明を実施するための最良の形態】
【００１５】
[第１実施形態]
以下、本発明を具体化した第１実施形態について説明する。
図１は、本実施形態を構成するナビゲーションシステムの全体ブロック図、図２は、携帯電話とネットワークセンターとの通信方法を説明するための説明図、図３は、本実施形態のナビゲーションシステムで実行される行先選択処理のシーケンス図である。
【００１６】
本実施形態のナビゲーションシステム１は、図１に示すように、車両に搭載されたナビゲーション装置３と、車両の乗員（以下、乗務員→乗員へ変換）が携帯している携帯電話５と、ナビゲーション装置３が搭載された車両から離れた施設であるネットワークセンター内に設置されたコンピュータ７とで構成されている。
【００１７】
ナビゲーション装置３は、ＧＰＳ受信機３０、地図情報装置３１、操作装置３２、表示装置３３、携帯電話接続インターフェイス３４、スピーカ、マイク等のその他の装置３５、制御装置３９を備えている。
【００１８】
ＧＰＳ受信機３０は、複数のＧＰＳ衛星から送られてくる電波を受信し、その受信した電波に基づいて測位処理を行って車両の絶対位置を算出し、その絶対位置データを制御装置３９に出力する装置である。尚、このＧＰＳ受信機３０は、図示しないジャイロスコープ、車速センサ等を備えており、これらの装置から得られた方向や車速を表す各種データも制御装置３９に出力可能に構成されている。
【００１９】
地図情報装置３１は、地図データが記録されたＤＶＤ−ＲＯＭあるいはＣＤ−ＲＯＭ等の記録媒体を装填可能に構成されており、制御装置３９からの要求により、それら記録媒体から読み出した地図データを制御装置３９に出力する装置である。
【００２０】
操作装置３２は複数のスイッチ等からなり、操作されると、その操作信号を制御装置３９に出力する装置である。
表示装置３３は、乗員側に画面が向くように車両内に設置された液晶画面からなる表示装置で、制御装置３９で行われる処理に従って画像を表示する。
【００２１】
携帯電話接続インターフェイス３４は、ナビゲーション装置３と携帯電話５とを図示しない通信ケーブルにより通信可能に接続するための装置である。尚、この通信ケーブルは、携帯電話接続インターフェイス３４に対し着脱可能に構成されていてもよい。
【００２２】
制御装置３９は、図示しないＣＰＵ、ＲＯＭ、ＲＡＭ等を備えた一般的なコンピュータ装置である。この制御装置３９は、後述する本実施形態の行先選択処理の他、その他様々な処理を実行する。その処理としては、例えば、車両の現在位置から、行先として指定した指定位置までの経路を案内する経路案内処理や、携帯電話接続インターフェイス３４及び通信ケーブルを用いることにより、携帯電話５を介して外部のコンピュータ７と無線で通信する無線通信処理がある。このうち、経路案内処理を実行する場合、具体的にはまず、ＧＰＳ受信機３０から受信した絶対位置データを地図上の位置データ（例えばマッピングデータ）に変換し、この位置データが示す現在位置から、後述する行先選択処理等で指定された指定位置までの経路を検索して経路データを作成する処理を実行する。そして、地図情報装置３１から読み出した現在位置付近の地図データ、及び、現在位置データ、経路データから、表示装置３３に地図と現在位置と経路とを表示する処理を実行する。
【００２３】
次に、携帯電話５は、外部接続インターフェイス５０、カメラ装置５１、操作装置５２、電話通信装置５３、表示装置５４、スピーカ、マイクその他各種装置５５を備えている。
【００２４】
外部接続インターフェイス５０は、本実施形態のナビゲーション装置３のような外部装置と携帯電話５とを図示しない通信ケーブルにより通信可能に接続するための装置である。尚、この通信ケーブルは、外部接続インターフェイス５０に対し着脱可能に構成されていてもよい。
【００２５】
カメラ装置５１（本発明の撮像手段に相当する）は、ＣＣＤカメラからなる撮像装置である。このカメラ装置５１は、操作装置３２のうちシャッターに割り当てられたスイッチを操作すると、その画像を制御装置５９に送信するよう構成され、その画像は制御装置５９に記憶される。
【００２６】
操作装置５２は、複数のスイッチ等からなり、操作されると、その操作信号を制御装置５９に出力する装置である。
電話通信装置５３は、図２に示すように、本実施形態の携帯電話５の電話会社の電話通信網９を形成する地上局９０と無線通信可能な通信装置である。電話通信網９はインターネットＩＮに接続されており、電話通信装置５３は、携帯電話会社の電話通信網９とインターネットＩＮを介してネットワークセンターのコンピュータ７と通信することができる。
【００２７】
表示装置５４は、携帯電話５の筐体に備えられた液晶画面からなる表示装置で、カメラ装置５１で撮影した画像や、電話番号やメールアドレス等を表示可能な装置である。
制御装置５９は、図示しないＣＰＵ、ＲＯＭ、ＲＡＭ等を備えた一般的なコンピュータ装置である。この制御装置５９では、後述する本実施形態の行先選択処理の他、その他様々な処理を実行する。その処理としては、例えば、携帯電話機能の一般的な処理はもちろん、操作装置５２のシャッターに相当するスイッチが操作されたらカメラ装置５１を動作させ、撮影した画像を制御装置５９に一時記憶させたり表示装置５４に表示する撮影処理や、外部接続インターフェイス５０や電話通信装置５３を動作させ、ナビゲーション装置３とネットワークセンターのコンピュータ７との通信を仲介する通信仲介処理がある。
【００２８】
次に、ネットワークセンター内に設置されたコンピュータ７は、データベース７０と通信装置７１と制御装置７９とを備えている。
データベース７０は、住所、有名観光地、ランドマークその他、場所を特定可能な表記の場所特定表記データ（本実施形態では文字データ）と、地図情報装置３１で読み出し可能な地図上の位置データとを関連づけて記憶している記憶装置である。
【００２９】
通信装置７１は、図２に示すように、インターネットＩＮを介して他の通信装置と通信可能な通信装置である。本実施形態では、この通信装置７１は、インターネットＩＮ及び電話通信網９を介して携帯電話５と通信可能に構成されている。
【００３０】
制御装置７９は、図示しないＣＰＵ、ＲＯＭ、ＲＡＭ等を備えた一般的なコンピュータ装置である。このコンピュータ７は、複数の携帯電話５と接続可能に構成されており、各携帯電話５に対して後述する本実施形態の行先選択処理を各個に行う。
【００３１】
以上のように構成されたナビゲーションシステム１で行われる行先選択処理について説明する。ここで、図３は、第１実施形態のナビゲーションシステム１で実行される行先選択処理のシーケンス図である。
【００３２】
本実施形態のナビゲーションシステム１の行先選択処理では、図３に示すように、ナビゲーション装置３の操作装置３２が乗員に操作されると、ナビゲーション装置３の制御手段３９が、ネットワークセンターに備えられているコンピュータ７から位置データを受信するための受信準備処理を実行する（Ｓ１）。具体的には、受信待機中であることを表示装置３３に表示するなどの処理を実行している。
【００３３】
次に、乗員が携帯電話５のカメラ装置５１を地図等に向け、カメラ装置５１のシャッターを切る操作を操作装置５２に対してすると、携帯電話５の制御装置５９は、カメラ装置５１が撮影した画像の画像データを一時記憶する処理し、その画像を表示装置５４に表示する処理を実行する（Ｓ２）。このとき乗員は、表示装置５４を見ることで意図する部分が撮影されたか確認することができる。その後、乗員によりその画像データの送信を命令する操作が操作装置５２に対してなされると、携帯電話５の制御装置５９は、画像データを送信する処理を実行する（Ｓ３）。この送信処理（Ｓ３）が実行されると、電話通信装置５３を介して、その画像の画像データがネットワークセンターのコンピュータ７に送信される。
【００３４】
ネットワークセンターのコンピュータ７の制御装置７９は、通信装置７１を介して携帯電話５から画像データを受信すると、その画像データの画像から住所、有名観光地、ランドマークその他、場所を特定可能な場所特定表記を抽出可能か否かを判定する処理を実行する（Ｓ４）。このとき制御装置７９が、抽出不可能と判定したときは（Ｓ４：ＮＯ）、抽出できない旨を表す非抽出信号を携帯電話５に送信し、さらに携帯電話５の制御装置５９がその非抽出信号をナビゲーション装置３に転送する。そしてこの非抽出信号を受信した携帯電話５の制御装置５９及びナビゲーション装置３の制御装置３９は、場所特定表記が抽出されなかった旨を表示するエラー表示処理（Ｓ５，Ｓ６）を実行して本処理を終了する。尚、撮影をやり直すときは、再び、ナビゲーション装置３の操作装置３２を操作して制御装置３９に受信準備処理（Ｓ１）を実行させ、携帯電話５の操作装置５２を操作して制御装置５９に撮影処理（Ｓ２）を実行させればよい。また、場所を特定可能な場所特定表記を抽出可能か否かの判定は、例えば場所特定表記の画像データを文字データに変換し、その文字データに該当する文字や文字列のデータがデータベース７０に登録されているか否かにより判定すればよい
一方、コンピュータ７の制御装置７９が、場所を特定可能な場所特定表記を抽出可能と判定したときは（Ｓ４：ＹＥＳ）、場所特定表記が示す場所の地図上の位置を特定するため、その文字データに対応する位置データをデータベース７０から検索し、さらに携帯電話５を介してその位置データをナビゲーション装置３に送信する処理を実行する（Ｓ７）。
【００３５】
この位置データを受信したナビゲーション装置３の制御装置３９は、位置データに基づいてその位置の地名と、その位置の周辺の地図と、その地図上の位置を指し示すポインタを表示する表示処理を実行する（Ｓ８）。このときナビゲーション装置３が、複数の位置データを受信したときは、乗員が操作装置３２を１回操作する毎に、各位置データに対応する地名、周辺地図及びポインタを表示装置３３に順に表示するとよい。
【００３６】
次に、ナビゲーション装置３の制御装置３９は、ナビゲーション装置３の操作装置３２が操作され、表示装置３３に表示された位置を指定位置として指定するか否かを選択する処理を実行する（Ｓ９）。制御装置３９は、再選択を希望する操作が操作装置３２に対してなされたと判定した場合（Ｓ９：ＹＥＳ）は、ナビゲーション装置３の操作装置３２を操作して制御装置３９に受信準備処理（Ｓ１）を実行させ、携帯電話５の操作装置５２を操作して制御装置５９に撮影処理（Ｓ２）を実行させればよい。一方、制御装置３９は、表示装置３３に表示された位置を指定位置として指定することを希望する操作が操作装置３２に対してなされたと判定した場合（Ｓ９：ＹＥＳ）は、表示装置３３に表示した位置を位置を、経路案内のための指定位置として指定する指定処理を実行して（Ｓ１０）、本処理を終了する。
【００３７】
以上説明したナビゲーションシステム１を用いると以下のような効果がある。
本実施形態のナビゲーションシステム１を用いれば、地図やガイドブック、住所が記載されたメモ、手帳などの場所特定表記を含む書面等を撮影して、操作装置３２を操作して指定するだけの簡単な操作で、撮影した画像中に含まれている場所特定表記の位置をナビゲーション装置３の指定位置として指定することができる。
【００３８】
また、本実施形態のナビゲーションシステム１では、携帯電話５に付属しているカメラ装置５１を利用することで、カメラ装置５１を持ち運んで地図やガイドブックを自由な方向及び位置から撮影できるので、撮影に失敗して誤った表記位置を撮影することを防止することができる。
【００３９】
また、近年のナビゲーション装置３は多機能化しており、画像から場所特定表記を抽出したり（Ｓ４）、その場所特定表記から地図上の位置を特定する処理（Ｓ７）をナビゲーション装置３に実行させると他の機能に処理の遅れなどの影響がでる恐れがあるが、本実施形態では、これらＳ４、Ｓ７の処理を車両外のネットワークセンターで実施しているので、ナビゲーション装置３に負荷がかからない。従って、本実施形態では、多機能化したナビゲーション装置３で実施しても、他の機能をスムーズに動作させることができる。
【００４０】
また、ネットワークセンターに大型のコンピュータ７を設置し、このコンピュータ７を利用してＳ４とＳ７の処理を実行することで、処理に時間がかかりやすいこれらの処理を高速で処理することができ、ひいては、ナビゲーションシステム１全体の処理速度を上げることができる。
【００４１】
尚、本実施形態のＳ４の処理を実行するコンピュータ７の制御装置７９が本発明の抽出手段に相当し、Ｓ７の処理を実行するコンピュータ７の制御装置７９が本発明の特定手段に相当し、Ｓ８の処理を実行するナビゲーション装置３の制御装置３９が本発明の表示手段、Ｓ１０の処理を実行するナビゲーション装置３の制御装置３９が本発明の指定手段に相当する。
【００４２】
[第２実施形態]
次に、本発明が適用された、第２実施形態について説明する。
ただし、以下の説明では、第１実施形態と異なる点についてのみ説明する。
【００４３】
尚、図４は、本実施形態を構成するナビゲーションシステムの全体ブロック図、図５は、第１実施形態のナビゲーションシステム１００で実行される行先選択処理のシーケンス図である。
【００４４】
本実施形態のナビゲーションシステム１００は、図４を図１と比較すると分かるように、ネットワークセンターのコンピュータ７を備えておらず、また、第１実施形態ではネットワークセンターのコンピュータ７に備えられていたデータベース７０が、ナビゲーション装置３に備えられている点が異なる。
【００４５】
次に、本実施形態のナビゲーションシステム１００で行われる行先選択処理について説明する。
本実施形態のナビゲーションシステム１００の行先選択処理では、図５に示すように、ナビゲーション装置３の操作装置３２が乗員に操作されると、ナビゲーション装置３の制御手段３９が、携帯電話５から画像データを受信するための受信準備処理を実行する（Ｓ１１）。具体的には、受信待機中であることを表示装置３３に表示するなどの処理を実行している。
【００４６】
次に、乗員が携帯電話５のカメラ装置５１を地図等に向け、カメラ装置５１のシャッターを切る操作を操作装置５２に対してすると、携帯電話５の制御装置５９は、カメラ装置５１が撮影した画像の画像データを一時記憶する処理し、その画像を表示装置５４に表示する処理を実行する（Ｓ１２）。このとき乗員は、表示装置５４を見ることで意図する部分が撮影されたか確認することができる。その後、乗員によりその画像データの送信を命令する操作が操作装置５２に対してなされると、携帯電話５の制御装置５９は、画像データを送信する処理を実行する（Ｓ１３）。この送信処理（Ｓ１３）が実行されると、画像データがナビゲーション装置３に送信される。
【００４７】
ナビゲーション装置３の制御装置３９は、携帯電話５から画像データを受信すると、その画像データの画像から住所、有名観光地、ランドマークその他、場所を特定可能な場所特定表記が抽出可能か否かを判定する処理を実行する（Ｓ１４）。このとき制御装置３９が、抽出不可能と判定したときは（Ｓ１４：ＮＯ）、場所特定表記が抽出されなかった旨を表示するエラー表示処理（Ｓ１６）を実行して本処理を終了する。尚、撮影をやり直すときは、再び、ナビゲーション装置３の操作装置３２を操作して制御装置３９に受信準備処理（Ｓ１１）を実行させ、携帯電話５の操作装置５２を操作して制御装置５９に撮影処理（Ｓ１２）を実行させればよい。また、場所を特定可能な場所特定表記を抽出可能か否かの判定は、例えば場所特定表記の画像データを文字データに変換し、その文字データに該当する文字や文字列のデータがデータベース７０に登録されているか否かにより判定すればよい
一方、ナビゲーション装置３の制御装置３９が、場所を特定可能な場所特定表記を抽出可能と判定したときは（Ｓ１４：ＹＥＳ）、場所特定表記が示す場所の地図上の位置を特定するため、その文字データに対応する位置データをデータベース７０から検索する処理を実行する（Ｓ１７）。
【００４８】
そしてナビゲーション装置３の制御装置３９は、位置データに基づいてその位置の地名と、その位置の周辺の地図と、その地図上の位置を指し示すポインタを表示する表示処理を実行する（Ｓ１８）。このときナビゲーション装置３が、複数の位置データを受信したときは、乗員が操作装置３２を１回操作する毎に、各位置データに対応する地名、周辺地図及びポインタを表示装置３３に順に表示するとよい。
【００４９】
次に、ナビゲーション装置３の制御装置３９は、ナビゲーション装置３の操作装置３２が操作され、表示装置３３に表示された位置を指定位置として指定するか否かを選択する処理を実行する（Ｓ１９）。制御装置３９は、再選択を希望する操作が操作装置３２に対してなされたと判定した場合（Ｓ１９：ＹＥＳ）は、ナビゲーション装置３の操作装置３２を操作して制御装置３９に受信準備処理（Ｓ１１）を実行させ、携帯電話５の操作装置５２を操作して制御装置５９に撮影処理（Ｓ１２）を実行させればよい。一方、制御装置３９は、表示装置３３に表示された位置を指定位置として指定することを希望する操作が操作装置３２に対してなされたと判定した場合（Ｓ１９：ＹＥＳ）は、表示装置３３に表示した位置を、経路案内のための指定位置として指定する指定処理を実行して（Ｓ２０）、本処理を終了する。
【００５０】
以上説明したナビゲーションシステム１００を用いると以下のような効果がある。
本実施形態のナビゲーションシステム１００を用いれば、地図やガイドブック、住所が記載されたメモ、手帳などの場所特定表記を含む書面等を撮影して、操作装置３２を操作して指定するだけの簡単な操作で、撮影した画像中に含まれている場所特定表記の位置をナビゲーション装置の指定位置として指定することができる。
【００５１】
また、本実施形態のナビゲーションシステム１００では、携帯電話５に付属しているカメラ装置５１を利用することで、カメラ装置５１を持ち運んで地図やガイドブックを自由な方向及び位置から撮影できるので、撮影に失敗して誤った表記位置を撮影することを防止することができる。
【００５２】
尚、本実施形態のＳ１４の処理を実行するナビゲーション装置３制御装置７９が本発明の抽出手段に相当し、Ｓ１７の処理を実行するナビゲーション装置３制御装置７９が本発明の特定手段に相当し、Ｓ１８の処理を実行するナビゲーション装置３の制御装置３９が本発明の表示手段、Ｓ２０の処理を実行するナビゲーション装置３の制御装置３９が本発明の指定手段に相当する。
【００５３】
上述のように、本発明の実施形態ついて説明したが、本発明はこの実施形態に何等限定されるものではなく、本発明の要旨を逸脱しない範囲において、種々なる態様で実施し得ることは勿論である。
【００５４】
例えば、場所特定表記が住所である場合、特定可能な区域（都道府県、市町村、番地）の大きさに応じて、地図上の位置と表示する地図の縮尺を特定し、その縮尺で表示された地図に、特定された地図上の位置をポインタ等で表示するようにしてもよい。都道府県や、市町村が特定したときは、県庁や市庁舎をポインタで表示し、県全体あるいは市全体の地図を表示してもよい。
【００５５】
また、上記実施形態では、携帯電話とナビゲーション装置とを通信ケーブルで結んだものについて例示したが、赤外線通信等により無線で通信してもよい。
【図面の簡単な説明】
【００５６】
【図１】第１実施形態を構成するナビゲーションシステムの全体ブロック図である。
【図２】携帯電話とネットワークセンターとの通信方法を説明するための説明図である。
【図３】第１実施形態のナビゲーションシステムで実行される行先選択処理のシーケンス図である。
【図４】第２実施形態を構成するナビゲーションシステムの全体ブロック図である。
【図５】第２実施形態のナビゲーションシステムで実行される行先選択処理のシーケンス図である。
【符号の説明】
【００５７】
１…ナビゲーションシステム、３…ナビゲーション装置、５…携帯電話、７…コンピュータ、９…電話通信網、３０…ＧＰＳ１受信機、３１…地図情報装置、３２…操作装置、３３…表示装置、３４…携帯電話接続インターフェイス、３９…制御装置、５０…外部接続インターフェイス、５１…カメラ装置、５２…操作装置、５３…電話通信装置、５４…表示装置、５９…制御装置、７０…データベース、７１…通信装置、７９…制御装置、９０…地上局
【図１】
2005345151.tif 000003
【図２】
2005345151.tif 000004
【図３】
2005345151.tif 000005
【図４】
2005345151.tif 000006
【図５】
2005345151.tif 000007
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
現在位置から指定位置までの経路案内が可能な経路案内手段と、
撮像手段と、
この撮像手段で撮影された画像から、場所を特定可能な場所特定表記を抽出する抽出手段と、
この抽出手段で抽出された、前記場所特定表記が示す場所の地図上の位置を特定する特定手段と、
この特定手段で特定した地図上の位置を表示する表示手段と、
操作者の操作により、前記特定手段で特定された地図上の位置を前記指定位置として指定可能な指定手段と
を備えることを特徴とするナビゲーションシステム。
【請求項２】
請求項１に記載のナビゲーションシステムにおいて、
前記撮像手段は、持ち運び可能に構成されていることを特徴とするナビゲーションシステム。
【請求項３】
請求項２記載のナビゲーションシステムにおいて、
前記撮像手段は、カメラ付き携帯電話に付属したカメラ装置であることを特徴とするナビゲーションシステム。
【請求項４】
請求項１〜３のいずれかに記載のナビゲーションシステムにおいて、
前記経路案内手段、前記撮像手段、前記表示手段、及び、前記指定手段は車両に搭載され、
前記抽出手段及び前記特定手段は前記車両から離れた施設に設置され、
前記撮像手段と前記抽出手段との間、及び、前記特定手段と前記表示手段との間で無線通信可能に構成されていることを特徴とするナビゲーションシステム。
【請求項５】
請求項１〜４のいずれかに記載のナビゲーションシステムにおいて、
前記特定手段は、前記場所特定表記が住所である場合、特定可能な区域に応じて、地図上の位置と前記表示手段で表示する地図の縮尺を特定し、
前記表示手段は、前記特定手段で特定された縮尺で地図を表示して、前記特定手段で特定された地図上の位置を表示する
ことを特徴とするナビゲーションシステム。